(57)【要約】【課題】歯茎を十分に温めることができ、かつ、使い勝手を良好にできる歯ブラシを提供する。【解決手段】歯ブラシ１は、歯ブラシ本体２と、ヒータ３とを備えている。前記歯ブラシ本体２は、ハンドル部５と、このハンド部に連結されたヘッド部６と、このヘッド部から突設されたブラシ部７を有している。前記ヒータ３は、前記歯ブラシ本体とは別体に設けられている。そして、前記ヒータからの熱を蓄熱可能な蓄熱材９が、前記ヘッド部の内部に設けられている。【選択図】図１
2016022244.tif 000002
【特許請求の範囲】
【請求項１】
ハンドル部、このハンド部に連結されたヘッド部、及び、このヘッド部から突設されたブラシ部を有する歯ブラシ本体と、
前記歯ブラシ本体とは別体に設けられたヒータとを備え、
前記ヒータからの熱を蓄熱可能な蓄熱材が、前記ヘッド部の内部に設けられていることを特徴とする歯ブラシ。
【請求項２】
前記ヒータからの熱を蓄熱可能な蓄熱材を含有する弾性体からなる蓄熱体が、前記ブラシ部に設けられていることを特徴とする請求項１に記載の歯ブラシ。
【請求項３】
ハンドル部、このハンド部に連結されたヘッド部、及び、このヘッド部から突設されたブラシ部を有する歯ブラシ本体を備え、
ヒータ及びこのヒータからの熱を蓄熱可能な蓄熱材が、前記ヘッド部の内部に設けられ、
前記ヒータを作動させるための電源装置が、前記歯ブラシ本体に着脱可能に設けられていることを特徴とする歯ブラシ。
【発明の詳細な説明】
【技術分野】
【０００１】
本発明は、歯ブラシに関する。
【背景技術】
【０００２】
従来、蓄熱体又は発熱体等を備えた歯ブラシが知られている（例えば、特許文献１参照。）。この種の歯ブラシによれば、蓄熱体又は発熱体が放出する熱を用いて歯茎を温めて、歯茎の血液循環を良くし、これにより歯周病等の予防を行うことができるようになっていた。
【先行技術文献】
【特許文献】
【０００３】
【特許文献１】特開昭６３−１１１７６号公報
【発明の概要】
【発明が解決しようとする課題】
【０００４】
しかしながら、従来の技術においては、蓄熱体が、歯ブラシのハンドル部に設けられていたので、外気温度の影響により蓄熱体の温度が低下しやすくなっていた。特に、特許文献１に記載の技術などにおいては、前記蓄熱体が放出する熱が加熱板等を介して前記歯ブラシのヘッド部に伝達されるので、熱の伝達効率が悪かった。したがって、前記歯ブラシを用いて歯茎を十分に温めることができないおそれがあった。
【０００５】
また、従来の技術においては、遠赤外線を放射させるための発熱体、及び、この発熱体を発熱させるための電池などが歯ブラシに設けられる場合があり、この場合には、前記歯ブラシの大型化が避けがたいものとなっていた。また。歯ブラシの使用時にその一部が口腔内に挿入された状態で発熱体が作動するように構成されていたので、感電のおそれがあった。
【０００６】
本発明は、このような事情に鑑みてなされたものであり、歯茎を十分に温めることができ、かつ、使い勝手を良好にできる歯ブラシの提供を目的とする。
【課題を解決するための手段】
【０００７】
請求項１に係る発明は、ハンドル部、このハンド部に連結されたヘッド部、及び、このヘッド部から突設されたブラシ部を有する歯ブラシ本体と、前記歯ブラシ本体とは別体に設けられたヒータとを備え、前記ヒータからの熱を蓄熱可能な蓄熱材が、前記ヘッド部の内部に設けられている歯ブラシである。
【０００８】
この構成によれば、前記ヒータを用いて前記蓄熱材の蓄熱を行い、その後、前記ヘッド部及び前記ブラシ部を前記歯ブラシ本体の使用者の口腔内に挿入して、前記蓄熱材を歯茎に近接させることにより、前記蓄熱材が放出する熱を用いて前記歯茎を効率よく温めることが可能となる。そしてこの際には、前記蓄熱材を体温に近い温度に保たれている使用者の口腔内に位置させることが可能となり、外気温度の影響による前記蓄熱材の温度低下速度を遅延させることができる。したがって、前記蓄熱材により前記歯茎を十分に温めることができる。その結果、前記歯ブラシを用いた前記歯茎の加温を行って、この歯茎の血行を良くし、これにより歯周病の予防を行うことができる。
【０００９】
また、前記歯ブラシ本体に前記ヒータ、さらにはこれに付随する電源装置等を内蔵させないので、前記歯ブラシ本体の小型軽量化を図り、前記歯ブラシ本体の取り回しを容易にすることが可能となる。しかも、前記歯ブラシ本体の使用時における火傷及び感電のおそれを排除することが可能となる。したがって、前記歯ブラシの使い勝手を良好なものにできる。
【００１０】
請求項２に係る発明は、請求項１に記載の歯ブラシにおいて、前記ヒータからの熱を蓄熱可能な蓄熱材を含有する弾性体からなる蓄熱体が、前記ブラシ部に設けられているものである。
【００１１】
この構成によれば、前記ヒータを用いて前記蓄熱材及び前記蓄熱体の蓄熱を行い、その後、前記ヘッド部及び前記ブラシ部を前記歯ブラシ本体の使用者の口腔内に挿入して、前記蓄熱体を歯茎に近接させることにより、前記蓄熱体が放出する熱を用いて前記歯茎を効率よく温めることが可能となる。そしてこの際には、前記蓄熱材により前記蓄熱体を保温し、かつ、前記蓄熱材及び前記蓄熱体を前記使用者の体温に近い温度に保たれている使用者の口腔内に位置させることが可能となり、外気温度の影響による前記蓄熱材の温度低下速度を遅延させることができる。したがって、前記蓄熱体の蓄熱性を高めて、前記歯茎をより温めやすくすることができる。
【００１２】
請求項３に係る発明は、ハンドル部、このハンド部に連結されたヘッド部、及び、このヘッド部から突設されたブラシ部を有する歯ブラシ本体を備え、ヒータ及びこのヒータからの熱を蓄熱可能な蓄熱材が、前記ヘッド部の内部に設けられ、前記ヒータを作動させるための電源装置が、前記歯ブラシ本体に着脱可能に設けられている歯ブラシである。
【００１３】
この構成によれば、前記ヒータを用いて前記蓄熱材の蓄熱を行い、その後、前記ヘッド部及び前記ブラシ部を前記歯ブラシ本体の使用者の口腔内に挿入して、前記蓄熱材を歯茎に近接させることにより、前記蓄熱材が放出する熱を用いて前記歯茎を効率よく温めることが可能となる。そしてこの際には、前記蓄熱材を体温に近い温度に保たれている使用者の口腔内に位置させることが可能となり、外気温度の影響による前記蓄熱材の温度低下速度を遅延させることができる。したがって、前記蓄熱材により前記歯茎を十分に温めることができる。その結果、前記歯ブラシを用いた前記歯茎の加温を行って、この歯茎の血行を良くし、これにより歯周病の予防を行うことができる。
【００１４】
また、前記歯ブラシ本体に前記電源装置等を内蔵させないので、前記歯ブラシ本体の小型軽量化を図り、前記歯ブラシ本体の取り回しを容易にすることが可能となる。よって、前記歯ブラシの使い勝手を良好なものにできる。
【００１５】
さらに、前記蓄熱材と前記ヒータとを比較的近接して配置することができるので、熱の分散を抑え、前記ヒータによる前記蓄熱材の加熱効率を向上させることができる。したがって、前記ヒータによる加熱時の消費電力の低減を図ることができる。
【発明の効果】
【００１６】
本発明によれば、歯茎を十分に温めることができ、かつ、使い勝手を良好にできる歯ブラシを提供することができる。
【図面の簡単な説明】
【００１７】
【図１】本発明の第１実施形態に係る歯ブラシの概略構成を示す側面図である。
【図２】本発明の第１実施形態における歯ブラシ本体の概略構成を示す図である。（ａ）は平面図である。（ｂ）は側面断面図である。
【図３】本発明の第１実施形態における歯ブラシ本体の使用方法の一例を示す模式図である。
【図４】本発明の第２実施形態における歯ブラシ本体の概略構成を示す図である。（ａ）は平面図である。（ｂ）は側面断面図である。
【図５】本発明の第２実施形態における歯ブラシ本体の使用方法の一例を示す模式図である。
【図６】本発明の第３実施形態に係る歯ブラシの概略構成を示す一部断面側面図である。（ａ）は歯ブラシ本体の非使用時の状態を示す図である。（ｂ）は歯ブラシ本体の使用時の状態を示す図である。
【図７】本発明の他の実施形態に係る歯ブラシの概略構成を示す一部断面側面図。（ａ）は歯ブラシ本体の非使用時の状態を示す図である。（ｂ）は歯ブラシ本体の使用時の状態を示す図である。
【発明を実施するための形態】
【００１８】
まず、本発明の第１実施形態について図面を参照しつつ説明する。
【００１９】
図１に、本発明の第１実施形態に係る歯ブラシ１の概略構成を示す。図２に、前記歯ブラシ１における歯ブラシ本体２の概略構成を示す。図２において、（ａ）は前記歯ブラシ本体２の平面図であり、（ｂ）は前記歯ブラシ本体２の側面断面図である。
【００２０】
図１に示すように、前記歯ブラシ１は、歯ブラシ本体２と、ヒータ３とを備えている。図２（ａ）及び（ｂ）にも示すように、前記歯ブラシ本体２は、ハンドル部５と、ヘッド部６と、ブラシ部７とを有している。
【００２１】
前記ハンドル部５は、前記歯ブラシ本体２の使用時に使用者に把持される部分である。前記ハンドル部５は、長尺状に形成されている。前記ハンドル部５は、例えば、ポリプロピレン、又は、飽和ポリエステル樹脂などの樹脂によって成形される。
【００２２】
前記ヘッド部６は、前記歯ブラシ本体２の使用時に使用者の口腔内に挿入される部分である。前記ヘッド部６は、前記ハンドル部５に連結されている。本実施形態において、前記ヘッド部６は、前記ハンドル部５の長手方向一端部に連結されている。
【００２３】
前記ヘッド部６は、前記ハンドル部５からその長手方向一方に突設されて、前記ハンドル部５と同程度の肉厚を有する平板状に形成されている。前記ヘッド部６は、前記ハンドル部５と同じ樹脂によって成形され、前記ハンドル部５と一体的に構成されている。
【００２４】
前記ブラシ部７は、前記歯ブラシ本体２の使用時に前記ヘッド部６とともに使用者の口腔内に挿入される部分である。前記ブラシ部７は、前記ヘッド部６から突設されている。前記ブラシ部７は、例えば、ナイロン樹脂等の樹脂によって成形される。
【００２５】
本実施形態において、前記ブラシ部７は、複数本のブリッスルを束ねた毛束８が前記ヘッド部６の片面に複数植設されることにより構成されている。前記複数の毛束８は、前記ヘッド部６の片面において複数列の毛束列を形成するように配置されている。
【００２６】
図１、図２に示すように、前記歯ブラシ本体２は、さらに蓄熱材９を有している。前記蓄熱材９は、前記歯ブラシ本体２の使用時に歯茎を温めるために利用されるものである。前記歯ブラシ本体２は、前記ヒータ３からの熱を蓄熱可能に構成され、前記ヘッド部６の内部に設けられている。
【００２７】
本実施形態において、前記蓄熱材９としては、物質の相変化による潜熱を利用した潜熱蓄熱材が採用されている。潜熱蓄熱材は、物質が固体から液体に相変化する時に熱を蓄え（蓄熱）、液体から固体に相変化する時に熱を放出（放熱）するという性質を利用し、蓄熱・放熱させるものである。
【００２８】
歯茎の血行促進を図るためには、歯茎を４０〜６０℃程度で温めることが好ましい。そこで、前記蓄熱材９としては、相変化する温度（融点）が４０〜６０℃の範囲内にある潜熱蓄熱材、例えば、チオ硫酸ナトリウム水和物（融点４８°）、酢酸ナトリウム水和物（融点５８℃）が使用される。
【００２９】
なお、本発明における蓄熱材は、本実施形態においては潜熱蓄熱材である前記蓄熱材９としているが、蓄熱作用のあるものであればよく、例えば、オイル系の材料としてもよいし、一定温度で硬化・軟化する際に吸熱・放熱する材料（一例では、リン酸塩、硝酸アンモニウム等の化合物）としてもよい。
【００３０】
本実施形態において、前記蓄熱材９は、前記ヘッド部６の長手方向（突出方向）に関して前記ブラシ部７と同程度の幅を有している。また、前記蓄熱材９は、前記ヘッド部６の長手方向と直交する幅方向に関して前記ブラシ部７と同程度の幅を有している（図２（ａ）参照）。
【００３１】
また、前記歯ブラシ１においては、図１に示すように、前記ヒータ３は、前記歯ブラシ本体２とは別体に設けられている。本実施形態において、前記ヒータ３は、前記歯ブラシ本体２を保持可能な保持機能を有する加熱器１０に設けられている。
【００３２】
前記ヒータ３は、前記歯ブラシ本体２が前記加熱器１０に保持されたときに、前記蓄熱材９を加熱可能に構成されている（図１参照）。前記加熱器１０は、前記ヒータ３のほか、保持台１１と、温度センサ１２と、制御回路１３と、電源装置１４とを有している。
【００３３】
前記保持台１１は、前記歯ブラシ本体２を前記ヘッド部６から差込可能な凹部１６を有している。前記凹部１６は、前記保持台１１の上方に向かって開口し、前記歯ブラシ本体２の差込時に前記ヘッド部６及び前記ブラシ部７を内方に配置することができるように形成されている。
【００３４】
前記保持台１１は、前記ヒータ３を内蔵している。そして、前記保持台１１は、前記歯ブラシ本体２が前記凹部１６に差し込まれたときに、前記ヘッド部６が前記ヒータ３に対向するように前記歯ブラシ本体２を立てた状態で保持することができるように構成されている。
【００３５】
ここで、前記ヘッド部６が前記ヒータ３に対向するとは、両者間に他の要素が介在しない状態で相互に向かい合う場合（直接的に対向する場合）のほか、両者間に他の要素が介在した状態で相互に向かい合う場合（間接的に対向する場合）も含む。
【００３６】
前記温度センサ１２は、前記歯ブラシ本体２のヘッド部６（前記蓄熱材９）の温度又は前記ヘッド部６の周辺温度を検出するためのものである。前記温度センサ１２は、前記保持台１１に設けられ、前記凹部１６の近傍に配置されている。
【００３７】
前記制御回路１３は、前記ヒータ３の作動を制御するためのものである。前記制御回路１３は、前記温度センサ１２による検出温度（前記ヘッド部６の温度又は前記ヘッド部６の周辺温度）を取得することができるように、前記温度センサ１２と接続されている。前記制御回路１３は、前記保持台１１に設けられている。
【００３８】
そして、前記制御回路１３は、前記温度センサ１２からの信号に基づき、検出温度が所定温度（本実施形態においては、前記蓄熱材９を相変化させる温度又はこれよりも若干高い温度）であるか否かを判定し、検出温度が前記所定温度よりも低い場合に前記ヒータ３を作動させ、検出温度が前記所定温度に到達すると、前記ヒータ３の作動を停止させるように構成されている。
【００３９】
前記電源装置１４は、前記制御回路１３に電力を供給するためのものである。前記電源装置１４は、ＡＣアダプタ、ＡＣコンセント、又は、電池等を備えて構成される。なお、前記電源装置１４は、その構成によっては前記保持台１１に内蔵され得る。
【００４０】
このような構成により、前記歯ブラシ１において、図１に示すように、前記歯ブラシ本体２を前記凹部１６に差し込んだ状態で前記加熱器１０に保持させたとき、前記電源装置１４を用いて前記ヒータ３を作動させることによって、前記ヘッド部６（前記蓄熱材９）を前記ヒータ３により加熱して、前記蓄熱材９の蓄熱を実質的に前記所定温度で行うことが可能となる。
【００４１】
そして、前記歯ブラシ本体２の使用時には、これを前記ヒータ３から離れるように前記加熱器１０から取り外し、前記歯ブラシ本体２の使用者の口腔内に前記ヘッド部６及び前記ブラシ部７を挿入する。次に、前記歯ブラシ１の挿入部分のうち蓄熱後の前記蓄熱材９が設けられた前記ヘッド部６の他面を歯１７及び歯茎１８に近接させて前記歯茎１８に当てる（図３参照）。
【００４２】
これにより、前記蓄熱材９が放出する熱を用いて前記歯茎１８を効率よく温めることが可能となる。そしてこの際には、前記蓄熱材９を体温に近い温度に保たれている使用者の口腔内に位置させることが可能となり、外気温度の影響による前記蓄熱材９の温度低下速度を遅延させることができる。
【００４３】
特に、本実施形態においては、前記蓄熱材９が潜熱蓄熱材であり相変化する温度で蓄熱することができるものであるので、前記蓄熱材９を一定時間一定温度に保持することが可能となる。そのため、前記蓄熱材９の温度低下速度の遅延については、より有効なものとなっている。
【００４４】
したがって、前記蓄熱材９により前記歯茎１８を十分に温めることができる。その結果、前記歯ブラシ１を用いた前記歯茎１８の加温を行って、この歯茎１８の血行を良くし、これにより歯周病の予防を行うことができる。なお、前記歯茎１８の加温は、前記歯茎１８の血行促進の点から、前記歯茎１８のブラッシングとともに行うことが好ましい。
【００４５】
さらに、前記歯ブラシ本体２に前記ヒータ３及び前記電源装置１４を内蔵させないので、前記歯ブラシ本体２の小型軽量化を図り、前記歯ブラシ本体２の取り回しを容易にすることが可能となる。しかも、前記歯ブラシ本体２の使用時における火傷及び感電のおそれを排除することが可能となる。よって、前記歯ブラシ１の使い勝手を良好なものにできる。
【００４６】
次に、本発明の第２実施形態について図面を参照しつつ説明する。
【００４７】
図４に、本発明の第２実施形態に係る歯ブラシにおける歯ブラシ本体２２の概略構成を示す。図４において、（ａ）は前記歯ブラシ本体２２の平面図であり、（ｂ）は前記ブラシ本体２２の側面断面図である。
【００４８】
本実施形態に係る歯ブラシは、蓄熱体２３を備える点で、第１実施形態に係る歯ブラシ１と相違する。なお、以下では、第１実施形態と実質的に同一の構成には、同一の符号を付してその説明を省略する。
【００４９】
本実施形態においては、前記歯ブラシ本体２２と、第１実施形態と実質的に同一の構成の、ヒータを有する加熱器とが備えられている。そして、図４（ａ）及び（ｂ）に示すように、前記歯ブラシ本体２２のブラシ部７に、前記蓄熱体２３が設けられている。
【００５０】
前記蓄熱体２３は、柔軟性を有するものであり、前記ヒータからの熱を蓄熱可能な蓄熱材を含有する弾性体から構成されている。前記蓄熱体２３は、本実施形態においては、前記歯ブラシ本体２２のヘッド部６に設けられた蓄熱材９とは異なる、潜熱蓄熱材ではない蓄熱材を含有するエラストマから構成されている。
【００５１】
前記蓄熱体２３の蓄熱材としては、例えば、オイル系の材料のほか、一定温度で硬化・軟化する際に吸熱・放熱する材料（一例では、リン酸塩、硝酸アンモニウム等の化合物）が挙げられる。
【００５２】
本実施形態において、前記蓄熱体２３は、直方体の塊状に形成されている。前記蓄熱体２３は、毛束８に練り込まれるように設けられ、この毛束８の突出端よりも前記ヘッド部６の片面側に位置し、かつ、前記毛束８のうち前記ヘッド部６の長手方向両端にある毛束８の間に位置するように配置されている。
【００５３】
このような構成により、前記歯ブラシ本体２１を保持台の凹部に差し込んだ状態で前記加熱器に保持したとき、この加熱器の電源装置を用いて前記ヒータを作動させることにより、前記ヘッド部６（前記蓄熱材９）及び前記ブラシ部７（前記蓄熱体２３）を前記ヒータにより加熱して、前記蓄熱材９及び前記蓄熱体２３の蓄熱を行うことが可能となる。
【００５４】
そして、前記歯ブラシ本体２の使用時には、これを前記ヒータから離れるように前記加熱器から取り外し、前記歯ブラシ本体２の使用者の口腔内に前記ヘッド部６及び前記ブラシ部７を挿入する。次に、前記歯ブラシ１の挿入部分のうち蓄熱後の前記蓄熱体２３が設けられた前記ブラシ部７を歯１７及び歯茎１８に近接させて前記歯茎１８に当てる（図５参照）。
【００５５】
これにより、前記蓄熱体２３が放出する熱を用いて前記歯茎１８を効率よく温めることが可能となる。そしてこの際には、前記蓄熱材９により前記蓄熱体２３を保温し、かつ、前記蓄熱材９及び前記蓄熱体２３を体温に近い温度に保たれている使用者の口腔内に位置させることが可能となり、外気温度の影響による前記蓄熱材９の温度低下速度を遅延させることができる。したがって、前記蓄熱体２３の蓄熱性を高めて、前記歯茎１８をより温めやすくすることができる。
【００５６】
次に、本発明の第３実施形態について図面を参照しつつ説明する。
【００５７】
図６（ａ）及び（ｂ）に、本発明の第３実施形態に係る歯ブラシ３１の概略構成を示す。
【００５８】
前記歯ブラシ３１は、ヒータ３３を歯ブラシ本体２に設ける点で、第１実施形態に係る歯ブラシ１と相違する。なお、以下では、第１実施形態と実質的に同一の構成には、同一の符号を付してその説明を省略する。
【００５９】
図６（ａ）に示すように、前記歯ブラシ３１においては、歯ブラシ本体３２と、電源装置３４とが備えられている。前記歯ブラシ本体３２のヘッド部６の内部に、前記ヒータ３３が設けられている。前記電源装置３４は、前記ヒータ３３を作動させるためのものであり、前記歯ブラシ本体３２に着脱可能に設けられている。
【００６０】
本実施形態において、前記歯ブラシ本体３２は、前記ヒータ３３のほか、ハンドル部５と、前記ヘッド部６と、ブラシ部７とを備えている。前記歯ブラシ本体３２には、前記ヘッド部６内の前記ヒータ３３と前記ハンドル部５側の前記電源装置３４とを接続可能とするための配線及び端子等が設けられている。
【００６１】
前記ヒータ３３は、前記電源装置３４が前記歯ブラシ本体３２に取り付けられたときに前記電源装置３４と前記配線及び端子等を介して接続される一方、前記電源装置３４が前記歯ブラシ本体３２から取り外されたときに前記電源装置３４との接続を解除されるように構成されている。
【００６２】
また、本実施形態においては、前記ヘッド部６の内部に、前記ヒータ３３の温度を調整するためのサーモスタット（図示せず）が設けられている。
【００６３】
前記サーモスタットは、前記ヒータ３３の作動により前記ヘッド部６の温度が所定温度（本実施形態においては、前記蓄熱材９が相変化する温度又はこれよりも若干高い温度）を超えた場合に動作して前記ヒータ３３の作動を停止させ、前記ヘッド部６の温度が前記所定温度未満になった場合に前記ヒータ３３を作動させるように構成されている。
【００６４】
前記電源装置３４は、前記ヒータ３３に電力を供給するためのものである。前記電源装置１４は、ＡＣアダプタ、ＡＣコンセント、又は、電池等を備えて構成されている。前記電源装置３４は、本実施形態においては前記ハンドル部５に着脱可能に設けられ、前記ハンドル部５への着脱に応じて前記ヒータ３３及び前記サーモスタットと接続可能とされている。
【００６５】
このような構成により、前記歯ブラシ３１において、図６（ａ）に示すように、前記歯ブラシ本体３２（前記ハンドル部５）に前記電源装置３４に取り付けたとき、前記電源装置３４を用いて前記ヒータ３３を作動させることによって、前記ヘッド部６（前記蓄熱材９）を前記ヒータ３３により加熱して、前記蓄熱材９の蓄熱を実質的に前記所定温度で行うことが可能となる。
【００６６】
そして、図６（ｂ）に示すように、前記歯ブラシ本体３２の使用時には、これを前記電源装置３４から取り外し、前記歯ブラシ本体２の使用者の口腔内に前記ヘッド部６及び前記ブラシ部７を挿入する。次に、前記歯ブラシ１の挿入部分のうち蓄熱後の前記蓄熱材９が設けられた前記ヘッド部６の他面を歯１７及び歯茎１８に近接させて前記歯茎１８に当てる。
【００６７】
これにより、前記蓄熱材９が放出する熱を用いて前記歯茎１８を効率よく温めることが可能となる。そしてこの際には、前記蓄熱材９を体温に近い温度に保たれている使用者の口腔内に位置させることが可能となり、外気温度の影響による前記蓄熱材９の温度低下速度を遅延させることができる。
【００６８】
特に、本実施形態においては、前記蓄熱材９が潜熱蓄熱材であり相変化する温度で蓄熱することができるものであるので、前記蓄熱材９を一定時間一定温度に保持することが可能となる。そのため、前記蓄熱材９の温度低下速度の遅延については、より有効なものとなっている。
【００６９】
したがって、前記蓄熱材９により前記歯茎１８を十分に温めることができる。その結果、前記歯ブラシ１を用いた前記歯茎１８の加温を行って、この歯茎１８の血行を良くし、これにより歯周病の予防を行うことができる。なお、前記歯茎１８の加温は、前記歯茎１８の血行促進の点から、前記歯茎１８のブラッシングとともに行うことが好ましい。
【００７０】
また、前記歯ブラシ本体２に前記電源装置３４を内蔵させないので、前記歯ブラシ本体２の小型軽量化を図り、前記歯ブラシ本体２の取り回しを容易にすることが可能となる。よって、前記歯ブラシ１の使い勝手を良好なものにできる。
【００７１】
さらに、前記蓄熱材９と前記ヒータ３３とを比較的近接して配置することができるので、熱の分散を抑え、前記ヒータ３３による前記蓄熱材９の加熱効率を向上させることができる。したがって、前記ヒータ３３による加熱時の消費電力の低減を図ることができる。
【００７２】
なお、第３実施形態における歯ブラシ本体３２においては、図７（ａ）及び（ｂ）に示すように、第２実施形態と同様の蓄熱体２３をブラシ部７に設けてもよい。この場合、例えば、ヒータ３３は、ヘッド部６に設けられ、前記ヘッド部６側の蓄熱材９と前記ブラシ部７側の蓄熱体２３との間に配置される。
【符号の説明】
【００７３】
１    歯ブラシ
２    歯ブラシ本体
３    ヒータ
５    ハンドル部
６    ヘッド部
７    ブラシ部
９    蓄熱材
２２  ブラシ本体
２３  蓄熱体
３２  ブラシ本体
３３  ヒータ
３４  電源装置
【図１】
2016022244.tif 000003
【図２】
2016022244.tif 000004
【図３】
2016022244.tif 000005
【図４】
2016022244.tif 000006
【図５】
2016022244.tif 000007
【図６】
2016022244.tif 000008
【図７】
2016022244.tif 000009